(57)【要約】【課題】  取り出しと同時に袋口が開口する作用を奏する取り出し容器入りプラスチック袋を得る。【解決手段】  複数枚重ねた状態で波状に折り畳んだプラスチックフィルム製の袋１０と、これらの袋を収容する取り出し容器１と、取り出し容器の上面に開口される袋の取り出し口２からなる取り出し容器入りプラスチック袋において、取り出し口をその全長方向を袋の折り畳み方向と一致させて設け、折り畳んだ袋の最上層の袋口から中途に対応する箇所２Ａの取り出し口の幅を人間の指先が通過する程度の細幅に設定すると共に、中途から最上層の折れ目端にかけて順次幅広となるように設定する。【選択図】      図４
0003175884.tif 000002
【実用新案登録請求の範囲】
【請求項１】
複数枚重ねた状態で波状に折り畳んだプラスチックフィルム製のプラスチック袋と、これらの袋を収容する取り出し容器と、取り出し容器の上面に開口される袋の取り出し口からなる取り出し容器入りプラスチック袋において、取り出し口をその全長方向を袋の折り畳み方向と一致させて設け、折り畳んだ袋の最上層の袋口から中途に対応する箇所の取り出し口の幅を人間の指先が通過する程度の細幅に設定すると共に、中途から最上層の折れ目端にかけて順次幅広となるように設定したことを特徴とする取り出し容器入りプラスチック袋。
【請求項２】
取り出し容器に収容されるプラスチック袋は表側フィルムと裏側フィルムからなり、袋口において、表側フィルム端が裏側フィルム端より袋底部方向に後退している請求項１記載の取り出し容器入りプラスチック袋。
【請求項３】
波状に折り畳んだプラスチック袋の最上層とその下の層との間に剛性を有する下敷き板を挟み込んだ請求項１または２記載の取り出し容器入りプラスチック袋。
【請求項４】
取り出し口は切れ目またはミシン目により容器の上面より切り出し可能に設けられる請求項１から３のいずれかに記載の取り出し容器入りプラスチック袋。
【請求項５】
表側シートと裏側シートの各辺同士を連続または貼り合わせて袋状に構成することにより、取り出し容器とした請求項１から４のいずれかに記載の取り出し容器入りプラスチック袋。
【請求項６】
側板を介して天板と底板を連結して筐体状に構成することにより、取り出し容器とした請求項１から４のいずれかに記載の取り出し容器入りプラスチック袋。
【考案の詳細な説明】
【技術分野】
【０００１】
この考案は取り出し容器に収容したプラスチック袋に関し、より詳細には取り出しと同時に袋口が開口する作用を奏する取り出し容器入りプラスチック袋に関する。
【背景技術】
【０００２】
スーパーマーケットの売り場で客が生鮮食品を収容したり、レジで商品の包装を行なうためにポリエチレンフィルムや塩化ビニールからなる薄手のプラスチックフィルムが多用されている。
【０００３】
この種の袋は連続した需要に対応できるように多数枚を用意して備えておく必要があり、そのためにミシン目で分離可能とした複数の袋を帯状に連ねてロールに巻き付けたもの（特許文献１）や、複数の袋を重ねて束ねるとともに、ミシン目を介して連続する上端を係止部材に係止して吊り下げたもの（特許文献２）が提案されている。
【先行技術文献】
【特許文献】
【０００４】
【特許文献１】特開平６−２１９４５２号公報
【特許文献２】特開２００８−４４１１７号公報
【考案の概要】
【考案が解決しようとする課題】
【０００５】
ところで、前記したポリエチレンフィルムや塩化ビニールからなる薄手のプラスチックフィルムにより製袋したプラスチック袋においては、成型時の離型剤の影響や、静電気のために表裏のフィルム同士が密着するブロッキング現象が起こりやすく、袋口が密着状態で閉じていた。
【０００６】
そのため、前記の従来技術中の前者の特許文献１に記載のプラスチック袋においては、ミシン目をもって袋を分離して取り出した後に密着した袋口を指先で開ける作業が必要となるが、この作業は困難でなかなか袋口が開かないという問題を生じた。
【０００７】
一方、前記の従来技術中の後者の特許文献２に記載のプラスチック袋は、表側フィルムと裏側フィルムからなる袋の袋口において、表側フィルム端を裏側フィルム端より袋底部方向に後退させることにより前記問題を解決している。
【０００８】
しかしながら、前記のプラスチックフィルムにおいては複数の袋を重ねて束ねるとともに、ミシン目を介して連続する裏側フィルムの上端を係止部材に係止して吊り下げているので、袋口が上向きの状態で露出することになり、生鮮食品の包装を想定した場合、衛生面における手当てがなされていない問題があった。
【課題を解決するための手段】
【０００９】
この考案は、以上の問題点を解決した取り出し容器入りプラスチック袋を提供することを目的として創作されたものであり、複数枚重ねた状態で波状に折り畳んだプラスチックフィルム製のプラスチック袋と、これらの袋を収容する取り出し容器と、取り出し容器の上面に開口される袋の取り出し口からなる取り出し容器入りプラスチック袋において、取り出し口をその全長方向を袋の折り畳み方向と一致させて設け、折り畳んだ袋の最上層の袋口から中途に対応する箇所の取り出し口の幅を人間の指先が通過する程度の細幅に設定すると共に、中途から最上層の折れ目端にかけて順次幅広となるように設定したことを特徴とする。
【００１０】
また、請求項２に記載の取り出し容器入りプラスチック袋は、前記の取り出し容器入りプラスチック袋において、取り出し容器に収容される袋を表側フィルムと裏側フィルムから構成し、袋口において、表側フィルム端が裏側フィルム端より袋底部方向に後退させたことを特徴とする。
【００１１】
また、請求項３に記載の取り出し容器入りプラスチック袋は、前記の取り出し容器入りプラスチック袋において、波状に折り畳んだプラスチック袋の最上層とその下の層との間に剛性を有する下敷き板を挟み込んだことを特徴とする。
【００１２】
また、請求項４に記載の取り出し容器入りプラスチック袋は、前記の取り出し容器入りプラスチック袋において、取り出し口を切れ目またはミシン目により容器の上面より切り出し可能に設けたことを特徴とする。
【００１３】
また、請求項５に記載の取り出し容器入りプラスチック袋は、前記の取り出し容器入りプラスチック袋において、表側シートと裏側シートの各辺同士を連続または貼り合わせて袋状に構成することにより、取り出し容器としたことを特徴とする。
【００１４】
また、請求項６に記載の取り出し容器入りプラスチック袋は、前記の取り出し容器入りプラスチック袋において、側板を介して天板と底板を連結して筐体状に構成することにより、取り出し容器としたことを特徴とする。
【考案の効果】
【００１５】
この考案の取り出し容器入りプラスチック袋によれば、細幅に設定した取り出し口の先端に露出するプラスチック袋の始端付近を指先で押さえながらたぐり寄せた場合（図８参照）、プラスチック袋は波状に折り畳んだ状態で容器内に収容されているので、指先で押さえられた箇所以外の箇所には容器内に止まろうとする抵抗が加わって、始端の中央箇所は取り出し口から外に引っ張り出されるが、残余の箇所はそれより遅れて引っ張り出されることになる。その結果、袋の取り出し口が撓んで密着状態が解消され、取り出し口が開いた状態でプラスチック袋を外に取り出すことが可能となる（図９〜１２参照）。
【００１６】
また、請求項２に記載の考案によれば、取り出し容器に収容される袋を表側フィルムと裏側フィルムから構成し、袋口において、表側フィルム端が裏側フィルム端より袋底部方向に後退させているので、両フィルムの長さの差によりこれらの撓み方が異なる結果、密着状態が解消された取り出し口はより大きく開くことになる。
【００１７】
また、請求項３に記載の考案によれば、波状に折り畳んだプラスチック袋の最上層とその下の層との間に剛性を有する下敷き板を挟み込んでいるので、収容されたプラスチック袋の枚数が少なくなっても始端付近を指先で押さえながらたぐり寄せた場合に加わる容器内に止まろうとする抵抗力が弱まることが防止されることとなる。
【００１８】
また、この考案の取り出し容器入りプラスチック袋は、取り出しと同時に袋口が開口する作用を奏するが、それまではプラスチック袋は容器内に収容されているので、袋口が外部に露出することがなく生鮮食品にも安心して使用することが可能となる。
【図面の簡単な説明】
【００１９】
【図１】この考案の取り出し容器入りプラスチック袋の容器の平面図。
【図２】同上、容器の分解斜視図。
【図３】同上、プラスチック袋の折り畳んだ状態の平面図。
【図４】同上、容器の取り出し口を開いた状態の平面図。
【図５】同上、プラスチック袋の展開した状態の平面図。
【図６】同上、プラスチック袋の分解斜視図。
【図７】同上、プラスチック袋の折り畳み状態を示す斜視図。
【図８】この考案の取り出し容器入りプラスチック袋におけるプラスチック袋の取り出し過程を示す斜視図。
【図９】この考案の取り出し容器入りプラスチック袋におけるプラスチック袋の取り出し過程を示す斜視図。
【図１０】この考案の取り出し容器入りプラスチック袋におけるプラスチック袋の取り出し過程を示す斜視図。
【図１１】この考案の取り出し容器入りプラスチック袋におけるプラスチック袋の取り出し過程を示す斜視図。
【図１２】この考案の取り出し容器入りプラスチック袋におけるプラスチック袋の取り出し過程を示す斜視図。
【図１３】この考案の取り出し容器入りプラスチック袋の異なる実施例の容器の斜視図。
【図１４】同上、容器の取り出し口を開いた状態の斜視図。
【考案を実施するための形態】
【００２０】
以下、この考案の第１実施例を図１〜図１２に基づいて説明する。図中符号１はプラスチック袋を収容する取り出し容器である。この実施例においては取り出し容器１はプラスチックフィルムなどからなる表側シート１Ａと裏側シート１Ｂの各辺同士を貼り合わせて製袋した袋状のものとしている。ここでは２枚のシート１Ａ、１Ｂの長手辺同士を溶着すると共に、前後２箇所の短手方向に溶着線部Ｈ１、Ｈ２を設けることにより製袋しているが、１枚のシートを二つ折りしたものや、長手辺同士、短手辺同士を溶着して製袋したものであってもよいことは勿論である。なお、図中符号３は容器１を壁などに吊り下げるためのフック用の孔である。
【００２１】
図中符号１０は前記の取り出し容器１に収容されるプラスチック袋である。このプラスチック袋１０はポリエチレンフィルムや塩化ビニールからなる薄手のプラスチックフィルムにより製袋されるものである。この実施例においてはフィルムを二つ折りして表側フィルム１０Ａと裏側フィルム１０Ｂを得、これらの長手辺同士を溶着することにより製袋しているが、２枚のフィルムの３辺を溶着することにより製袋したものであってもよいことは勿論である。図中符号Ｍはこのプラスチック袋１０の袋口を指し、この実施例においては袋口において、表側フィルム１０Ａ端を裏側フィルム１０Ｂ端より袋底部方向に後退させている。
【００２２】
前記のプラスチック袋１０は図７に示すように、複数枚重ねた状態で波状に折り畳んで取り出し容器１に収容される。図５はプラスチック袋１０の折り畳み前の図、図３は折り畳み後の図である。なお、この実施例においては波状に折り畳んだプラスチック袋１０の最上層Ｌ１とその下の層Ｌ２との間に剛性を有する例えば厚紙などからなる下敷き板１１を挟み込んでいる。
【００２３】
図中符号２はプラスチック袋１０を取り出すために、取り出し容器１の上面に開口される取り出し口である。この実施例においては、取り出し容器１の上面となる表側シート１Ａにミシン目２Ｃをもって取り出し口２の輪郭に沿った引き起し片２Ｄを設け、使用に際しミシン目を破断して引き起し片を引き起こして取り出し口を得る構成としている。なお、ミシン目２Ｃに代わって切れ目としたり、あるいは当初から取り出し口を開口しておいてもよいことは勿論である。
【００２４】
前記の取り出し口２はその全長方向をプラスチック袋１０の折り畳み方向と一致させて設け、折り畳んだ袋の最上層の袋口Ｍから中途に対応する箇所２Ａの幅を人間の指先が通過する程度の細幅に設定すると共に、中途から袋の最上層の折れ目端にかけた箇所２Ｂを順次幅広となるように設定している（図４参照）。
【００２５】
図８〜図１２はこの考案の取り出し容器入りプラスチック袋におけるプラスチック袋１０の取り出し過程を示す図である。以下、取り出し過程を説明する。
【００２６】
(1) 折り畳んだプラスチック袋１０の最上層の袋口Ｍから中途に対応する箇所２Ａに指を入れ、そこに露出するプラスチック袋の始端付近を指先で押さえながらたぐり寄せる（図８参照）。この場合、プラスチック袋１０は波状に折り畳んだ状態で容器内に収容されているので、指先で押さえられた箇所以外の箇所には容器内に止まろうとする抵抗が加わって、始端の中央箇所は取り出し口から外に引っ張り出されるが、残余の箇所はそれより遅れて引っ張り出されることになる。その結果、袋の取り出し口Ｍが撓んで密着状態が解消される。
【００２７】
(2) 密着状態が解消されたプラスチック袋１０の袋口Ｍに指先を入れ、表側フィルム１０Ａ端を摘んでさらに後方に引っ張る（図９参照）。
【００２８】
(3) そのまま、後方に引っ張ることにより、プラスチック袋１０は取り出し口２後方の順次幅広となる箇所２Ｂから取り出され、その際に袋口Ｍは開放状態となっている（図１０〜図１２参照）。
【００２９】
なお、前記(1) において、収容されたプラスチック袋１０の枚数が少なくなると、始端付近を指先で押さえながらたぐり寄せた場合に加わる容器内に止まろうとする抵抗力が弱まってくるが、この実施例においては波状に折り畳んだプラスチック袋１０の最上層Ｌ１とその下の層Ｌ２との間に剛性を有する下敷き板１１を挟み込んでいるのでそれが防止される。
【００３０】
図１３〜図１４はこの考案の第２実施例を示す図である。この実施例においては容器を袋状のものでなく筐体状のものとしたものであり、プラスチック袋１０は前記第１実施例のものと共通する。図中符号２０は厚紙やプラスチックなどからなる容器を示し、側板２０Ｂを介して天板２０Ｃと底板２０Ａを連結して筐体状に構成される。この実施例においては、取り出し容器２０の上面となる天板２０Ｃから側板２０Ｂにかけて切れ目２２Ｃをもって取り出し口２２の輪郭に沿った引き起し片２２Ｄを設け、使用に際し引き起し片を引き起こして取り出し口を得る構成としている。なお、切れ目２２Ｃに代わってミシン目としたり、あるいは当初から取り出し口を開口しておいてもよいことは勿論である。
【符号の説明】
【００３１】
１                容器
２                取り出し口
１０              プラスチック袋
２０              容器
【図１】
0003175884.tif 000003
【図２】
0003175884.tif 000004
【図３】
0003175884.tif 000005
【図４】
0003175884.tif 000006
【図５】
0003175884.tif 000007
【図６】
0003175884.tif 000008
【図７】
0003175884.tif 000009
【図８】
0003175884.tif 000010
【図９】
0003175884.tif 000011
【図１０】
0003175884.tif 000012
【図１１】
0003175884.tif 000013
【図１２】
0003175884.tif 000014
【図１３】
0003175884.tif 000015
【図１４】
0003175884.tif 000016